(57)【要約】      （修正有）【課題】マニュアル等の収納場所を確保するに際し、ＡＤＦを有効活用する。【解決手段】原稿トレイ２０１から原稿排出トレイ２０６まで自動で原稿を搬送する原稿給送部２００（ＡＤＦ）を備えた複写機におけるＡＤＦにおいて、原稿排出トレイ２０６の下方に空間部（収納スペース）を備える。この空間部は、凹部と該凹部に対する前記原稿排出トレイ２０６を兼ねる蓋部材２０７とからなる。蓋部材２０７は、前記凹部内を外部から視認可能とするべく透明部材で構成された部分を含み、原稿トレイ２０１は、前記凹部内を外部から視認可能とするべく切り欠き部を備えた部材で構成されている。【選択図】図３
2010283846.tif 000002
【特許請求の範囲】
【請求項１】
原稿トレイから原稿排出トレイまで自動で原稿を搬送する自動原稿搬送装置を備えた画像読取装置であって、
前記自動原稿搬送装置において原稿排出トレイの下方に空間部を備え、
前記空間部は、原稿排出トレイの下方に凹設された凹部により画定され、該凹部に対する前記原稿排出トレイを兼ねる蓋部材をさらに備え、
前記蓋部材は、前記凹部内を外部から視認可能とするべく透明部材で構成された部分を含み、
前記原稿トレイは、前記凹部内を外部から視認可能とするべく切り欠き部を備えた部材で構成されていることを特徴とする画像読取装置。
【請求項２】
前記蓋部材は開閉可能であって、当該蓋部材を閉じた状態でロックするロック機構をさらに備えることを特徴とする請求項１に記載の画像読取装置。
【請求項３】
請求項１又は２に記載の画像読取装置を備えることを特徴とする画像形成装置。
【発明の詳細な説明】
【技術分野】
【０００１】
本発明は、画像読取装置及びこれを用いた複写機や複合機等の画像形成装置に関し、特に、所定の収納構造を有する画像読取装置及び画像形成装置に関するものである。
【背景技術】
【０００２】
従来、複写機や複合機等の画像形成装置においては、装置の使用方法を説明するためのマニュアル（冊子等）、装置をメンテナンスするための道具や部品（所謂サービスパーツ）、予備用の用紙等の画像形成装置に関する備品、或いは給紙用の用紙（記録紙）といった画像形成装置に関する物の「収納」に関し、如何に効果的に収納するか、つまり如何に収納スペースを大きくとらず（装置は小型化を図りつつ）且つ外観を損うことなく収納スペースを確保し、かつ利便性良く装置に収納できるようにするかということについて考慮がなされてきた。このことに関し、例えば特許文献１には、装置上面の開閉蓋部材と給紙カセットとを一体化することで、用紙出し入れ作業に際しての用紙カセットを引き出すのに必要なスペースを削減したり、用紙出し入れ作業を容易に行えるようにするといった技術が開示されている。また、特許文献２には、操作パネルの前面下部や筐体の壁面にマニュアル等の冊子を収納するためのマニュアル受けトレイを設けるという技術が開示されている。また、特許文献３には、画像形成装置の周辺機器高さ調整台にマニュアル等の冊子を収納する凹部を設けるという技術が開示されている。
【先行技術文献】
【特許文献】
【０００３】
【特許文献１】特許第２５９５９０５号公報
【特許文献２】特開２０００−１９４１７２号公報
【特許文献３】特開２００２−２４４３７６号公報
【発明の概要】
【発明が解決しようとする課題】
【０００４】
ところで、一般的に、画像形成装置には自動原稿搬送装置（ＡＤＦ；Auto Document Feeder）が備えられているが、上記特許文献にはこのＡＤＦに対する収納構造の施与について何ら開示されていない。
【０００５】
特許文献１では、用紙カセットを引き出すスペースを削減したり用紙を取り出し易くするといった点では有効と考えられるが、あくまでも給紙用用紙の収納に関するものであり、前記マニュアルやサービスパーツ等の備品を収納するということとは観点が違うものである（この場合、用紙カセットにマニュアル等の備品は収納不可能である）。また、特許文献２では、マニュアル受けトレイが設けられてマニュアル等の収納が可能となるものの、当該マニュアル受けトレイを装置に別途設けることで外観が損なわれる（デザイン性が低下する）ことにもなる。また、特許文献３では、マニュアル等の収納スペースを確保するべく別途高さ調整台を設けなければならず、換言すれば、高さ調整台を設けていない画像形成装置は当該収納スペースが得られないということになる。さらにこの場合、収納場所の視認性が低く（一見してどこにあるか分かり難い）、また収納や取り出し時に屈み込む動作が必要となる。
【０００６】
本発明は上記事情に鑑みてなされたもので、装置の外観を損なうことなく且つ収納スペースによって装置が大型化されることなく、また収納や取り出しが容易（収納に便利）となるよう、収納に関してＡＤＦを有効に活用することが可能な画像読取装置及び画像形成装置を提供することを目的とする。
【課題を解決するための手段】
【０００７】
本発明の一の局面に係る画像読取装置は、原稿トレイから原稿排出トレイまで自動で原稿を搬送する自動原稿搬送装置を備えた画像読取装置であって、前記自動原稿搬送装置において原稿排出トレイの下方に空間部を備え、前記空間部は、原稿排出トレイの下方に凹設された凹部により画定され、該凹部に対する前記原稿排出トレイを兼ねる蓋部材をさらに備え、前記蓋部材は、前記凹部内を外部から視認可能とするべく透明部材で構成された部分を含み、前記原稿トレイは、前記凹部内を外部から視認可能とするべく切り欠き部を備えた部材で構成されていることを特徴とする。
【０００８】
上記構成によれば、自動原稿搬送装置（ＡＤＦ）の原稿排出トレイの下方に空間部が備えられるため、当該空間部につまりＡＤＦに、マニュアル等の冊子やサービスパーツ或いは予備の原稿等を収納しておくことが可能となる。そして、ＡＤＦの原稿排出トレイ下方の空きスペースが利用されるため、別途専用の収納部を設けてＡＤＦ（強いては画像形成装置）を大型化することなく且つ装置の外観を損なうことなく当該収納が可能となる。また、ＡＤＦに空間部が設けられることで、画像形成装置の側方部や底部等に空間部を設けて屈み込むようにして収納物を収納したり取り出したりすることなく、画像形成装置上部に配置されるＡＤＦにおいて容易な収納、取り出し動作が可能となる。
【０００９】
また、前記空間部は、原稿排出トレイの下方に凹設された凹部により画定され、該凹部に対する前記原稿排出トレイを兼ねる蓋部材をさらに備えるので、凹部に対する収納物の収納や取り出しが、蓋部材を開閉することによって容易に行えるようになる。また、この蓋部材は原稿排出トレイを兼ねるものであるため、蓋部材と原稿排出トレイとをそれぞれ別に備える必要がなく、部品点数の低減を図ることができる。
【００１０】
また、前記蓋部材は、前記凹部内を外部から視認可能とするべく透明部材で構成された部分を含むので、蓋部材が透明部材で構成されて空間部内が外部から視認可能となり、この空間部内に置かれたマニュアル等の収納物が容易に視認されるようになる（何処にマニュアル等が置いてあるのか探さなくても済むようになる）。
【００１１】
さらに、前記原稿トレイは、前記凹部内を外部から視認可能とするべく切り欠き部を備えた部材で構成されているので、上記蓋部材が透明部材で構成されていることと相俟って、空間部内が外部から容易に視認可能となり、つまり原稿トレイの下部側を覗き込むようにして空間部内を確認するといったことなく例えばそのままの立ち姿勢又は目線で（上方から見て）より容易に空間部内が視認できるようになる。
【００１２】
上記構成において、前記蓋部材は開閉可能であって、当該蓋部材を閉じた状態でロックするロック機構をさらに備えることが望ましい。
【００１３】
本発明の他の局面に係る画像形成装置は、上記の画像読取装置を備えることを特徴とする。この構成によれば、上記の画像読取装置の利点を備えた画像形成装置を提供できる。
【発明の効果】
【００１４】
本発明によれば、自動原稿搬送装置（ＡＤＦ）の原稿排出トレイの下方に空間部が備えられるため、当該空間部につまりＡＤＦにマニュアル等の冊子やサービスパーツ或いは予備の原稿等を収納しておくことが可能となる。そして、ＡＤＦの原稿排出トレイ下方の空きスペースが利用されるため、別途専用の収納部を設けてＡＤＦ（強いては画像形成装置）を大型化することなく且つ装置の外観を損なうことなく当該収納が可能となる。また、ＡＤＦに空間部が設けられることで、画像形成装置の側方部や底部等に空間部を設けて屈み込むようにして収納物を収納したり取り出したりすることなく、画像形成装置上部に配置されるＡＤＦにおいて容易な収納、取り出し動作が可能となる。さらに、原稿排出トレイの下方に空間部が設けられる一方で、凹部の上方部は、透明部材で構成された部分を含む蓋部材、及び切り欠き部を備えた部材からなる原稿トレイで構成されているので、外部から凹部内が視認可能となり且つＡＤＦ位置でその視認性も高いものとなる。このように、収納に関してＡＤＦを有効に活用することができる。
【図面の簡単な説明】
【００１５】
【図１】本発明に係る画像形成装置の一例である複写機の内部構成を概略的に示す断面図である。
【図２】図１に示す複写機の概略構成を示すブロック図である。
【図３】図１に示す原稿給送部の拡大斜視図である。
【図４】図３に示す原稿給送部を側方から見た場合の概略断面図である。
【図５】原稿排出トレイにおける凹部の上面概略図である。
【図６】ロック機構の一例を示す概略断面図である。
【図７】図１に示す原稿給送部の拡大斜視図である。
【図８】原稿給送部の収納部の一変形例を示す概略断面図である。
【発明を実施するための形態】
【００１６】
以下、本発明に係る画像形成装置について図面を参照しながら説明する。図１は、本発明に係る画像形成装置の一例である複写機１の内部構成を概略的に示す断面図である。複写機１は、画像形成部１００、画像形成部１００を備える本体部１０の上方に設置された原稿給送部２００、本体部１０の上部に設置された原稿読取部３００、本体部１０の下部に設置された給紙部４００、本体部１０のフロント部に設置された操作表示部５００を備えている。
【００１７】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１
などからなり、その上面に、装置原稿読み取り用の第１プラテンガラス３０２と、ＡＤＦ原稿読み取り用の第２プラテンガラス３０３とを備えている。原稿読取部３００は、第１プラテンガラス３０２上に載置された原稿、あるいは原稿給送部２００によって第２プラテンガラス３０３に接するようにして搬送（移動）される原稿を走査しつつ取得した画像データを後述する制御部２０へ出力する。
【００１８】
原稿給送部２００（ＡＤＦ）は、自動的に原稿読取部３００（第２プラテンガラス３０３の原稿読み取り位置）へ原稿を給送するとともに当該原稿読取部３００によって読み取られた原稿を原稿給送部２００の排出部へ排出するものである。原稿給送部２００は、原稿を載置する原稿トレイ２０１、搬入ローラ等を備え原稿トレイ２０１から原稿を搬入させる搬入駆動部２０２、搬送経路２０３中の原稿を搬送する搬送ローラ２０４、搬送ローラ２０４により搬送されてきた原稿を排出させる排出ローラ２０５、及び排出ローラ２０５により排出された原稿を載置（積載）する原稿排出トレイ２０６等を備えて構成されている。原稿給送部２００は、コピー開始の指示入力等に応じて、原稿トレイ２０１に載置された原稿を自動的に１枚ずつ第２コンタクトガラス３０３に接触させつつ搬送し、この位置での原稿の露光走査（読み取り）後に原稿排出トレイ２０６上へ排出させる所謂シー
トスルータイプの原稿読み取りを実現する。
【００１９】
また、原稿給送部２００は、例えば装置の背面側を回動支点として本体部１０（原稿読取部３００）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿を載置することが可能に構成されている。
【００２０】
給紙部４００は、画像形成部１００に対して用紙の給紙を行うものである。給紙部４００は、各サイズの用紙（記録紙）が収納される給紙カセット４０１、４０２、及び本体部１０の一側方部に開閉自在に構成された手差しトレイ４０３１等からなる手差し給紙部４０３を備えている。また、給紙部４００は、給紙カセット４０１、４０２から画像形成部１００へ用紙を搬送する搬送経路４０４、手差し給紙部４０３から画像形成部１００へ用紙を搬送する搬送経路４０５を備えている。各給紙カセット４０１、４０２及び手差し給紙部４０３は、収納されている用紙を取り出すためのピックアップローラ４０６、４０７、４０８、用紙を１枚ずつ各搬送経路に送り出す給紙ローラ４０９、４１０、４１１を備えている。搬送経路４０４には、用紙を搬送する搬送ローラ４１２、４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００２１】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部１０２、現像部１０３、クリーニング部１０４、レーザ走査ユニット１０５及び転写ローラ１０６、転写ローラ１０６の下流側に配設された定着ローラ１０７を備えている。
【００２２】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２３】
本体部１０の上部及び側面部には、用紙排出トレイ１０８、１０９が設けられており、定着ローラ１０７から搬送されてきた用紙は、それぞれ排出ローラ１１０、１１１によって用紙排出トレイ１０８、１０９へ排出される。なお、用紙の搬送方向は、排出分岐ガイド１１２によって、排出ローラ１１０側と排出ローラ１１１側とに切り換え可能に構成されている。
【００２４】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３（ディスプレイ）とを備えている。
【００２５】
図２は、図１に示す複写機１の概略構成を示すブロック図である。複写機１は、装置全体の動作制御を司る制御部２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。この制御部２０は、上記画像形成部１００、原稿給送部２００、原稿読取部３００、給紙部４００及び操作表示部５００、並びに画像記憶部３０及び画像処理部４０などが接続されている。
【００２６】
画像記憶部３０は、原稿読取部３００によって読み取られた原稿の画像データや図略のネットワークＩ／Ｆ部等を介して外部装置から送信されてきた画像データを一時的に記憶するメモリである。
【００２７】
画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００２８】
ところで、複写機１は、一般的に、当該装置の使用方法等を説明するためのマニュアルなどの冊子や装置をメンテナンスするための道具や部品（サービスパーツ）、或いは予備用（ストック用）の用紙等の備品を有しているが、この備品等を原稿給送部２００に収納するという本発明の特徴点について以下に説明する。
【００２９】
図３、４は、原稿給送部２００の上記収納に関する、さらに詳細な構成について説明するものであって、図３は図１に示す原稿給送部２００の拡大斜視図であり、図４は、図３に示す原稿給送部２００を側方から見た場合の概略断面図である。ただし、図４は、後述するように原稿トレイ２０１の回動と連動させて蓋部材２０７を開いた状態を示している。
【００３０】
図３、４に示すように、原稿給送部２００は、上記図１で説明した符号２０１〜２０６の各構成部の他に蓋部材２０７及び連結部材２０８を備えている。蓋部材２０７は、原稿排出トレイ２０６の符号Ａで示す矢印方向（矢印Ａ方向）の排出原稿積載面（斜面）に沿って該排出原稿積載面を覆うように蓋をすることが可能に形成された所謂「蓋状体」であるとともに、原稿排出トレイ２０６を兼ねる、具体的には原稿排出トレイ２０６のトレイ面を兼ねるものである（蓋部材２０７の上面に、排出されてきた原稿が積載される）。蓋部材２０７は、上面視略長方形の板状体（平板体）からなる蓋本体２０７１と、排出口から排出されてくる原稿をガイドし、且つ蓋本体２０７１の補強材として機能する搬送方向に延設（並設）された複数本のリブ体２０７２とからなる。
【００３１】
ところで、原稿排出トレイ２０６の下方、つまり蓋部材２０７と対向する下方部には凹部が形成されている。この凹部は、上方へ向けて開口した例えば上面視略長方形の直方体状に凹設されてなるものであり、蓋部材２０７より小さい或いは同程度のサイズ（面積）で且つマニュアル等の収納物が収納可能なサイズとなっている。
【００３２】
原稿排出トレイ２０６における上記凹部は、例えば図５の上面概略図（蓋部材２０７は取り外されている）に示すように、原稿排出トレイ２０６が側壁部２０６１で構成され、該側壁部２０６１によって四方が包囲され（図５では図中左側の側壁部が無く、三方で包囲されているが、実際には原稿給送部２００或いは蓋部材２０７がこの側壁部２０６１の役目をして四方が包囲されている）、かつ、側壁部２０６１の上面部Ｔに当接するようにして蓋部材２０７が被せられて（載置されて）なる収納空間（以降、収納スペースＳという）として与えられる。すなわち、収納スペースＳ（空間部）は、凹部と蓋部材２０７とから構成される。
【００３３】
なお、収納スペースＳは、図５における符号２１０で示す側面図に示すように、原稿給送部２００における原稿排出トレイ２０６の下方部がさらに原稿読取部３００側へ深く凹設されてなるものとしてもよい。この場合、収納スペースＳの底面（底板）が原稿給送部２００の底面（底板）となっていてもよい。また、蓋部材２０７により凹部に蓋をする形態としては、上述のように単に側壁部２０６１の上面部に蓋部材２０７を載置する形態としてもよいし、例えば凹部の周囲つまり側壁部２０６１の周端部に該蓋部材２０７の形状に合わせて所定の段差部を設け、この段差部に嵌合させるようにして蓋をする形態としてもよい。
【００３４】
蓋部材２０７は、図４に示すように、原稿排出口側の基端部において回動軸部２０７３を備えており、回動軸部２０７３を回動中心（開閉支点）として符号Ｂで示す矢印方向（矢印Ｂ方向）に回動可能に構成されている。この回動軸部２０７３は、例えば上記図５の符号２０６２に示す位置で側壁部２０６１に軸支されている。なお、回動軸部２０７３は当該符号２０６２に示す位置で軸支されなくともよく、例えば原稿給送部２００本体の側壁部に軸支されていてもよい。
【００３５】
この蓋部材２０７は、透明部材（透明材質）、例えば透明な、即ち光の透過性が高い樹脂（プラスチック等）で構成されており、収納スペースＳ（凹部）内が外部から視認可能とされている。
【００３６】
当該蓋部材２０７が透明部材で構成されることに関連して、ここでは原稿トレイ２０１も蓋部材２０７と同様に透明部材で構成されている。具体的には、原稿トレイ２０１における蓋部材２０７との対向面部に、平板状の透明体２０１０が設けられている。この透明体２０１０は、原稿トレイ２０１に当該透明体２０１０と同サイズの窓部（開口部）を形成し、この窓部に嵌合されるものである。換言すれば、原稿トレイ２０１の前記対向面部の周縁部をフレーム部２０１２（枠体）として構成し、このフレーム部２０１２に透明体２０１０を嵌合するものである。ただし、このフレーム部２０１２も含めて当該対向面部全体が透明部材で構成されていてもよい。
【００３７】
このように、（収納スペースＳの上部における）原稿トレイ２０１や蓋部材２０７を透明部材で構成することにより、例えば図７における原稿給送部２００の拡大斜視図に示すように、収納スペースＳに収納したマニュアルの収納品Ｍが、原稿トレイ２０１や蓋部材２０７を開けることなく、外部から容易に視認することが可能となる。しかも、複写機１における原稿給送部２００の設置位置関係上、ユーザが例えばコピーしようとして原稿トレイ２０１に原稿を載置するようなときに、屈み込んだりすることなくそのままの姿勢や目線で容易にこの収納品Ｍを視認することができる。
【００３８】
ところで、原稿トレイ２０１は、原稿搬入口側の基端部に回動軸部２０１３を備えており、この回動軸部２０１３が原稿給送部２００の例えば本体側壁部で軸支され、符号Ｃで示す矢印方向（矢印Ｃ方向）に回動可能に構成されている。また原稿トレイ２０１には、該原稿トレイ２０１の例えば先端部近傍位置に手前側に突設されてなる取手部２０１４が設けられている（好適に把持可能であればいずれの取手部であってもよい）。これにより、ユーザは取手部２０１４を把持して、原稿トレイ２０１を回動させて持ち上げたり、或いは図３に示す通常使用時の位置まで下げる動作が行い易くなる。
【００３９】
なお、原稿トレイ２０１の上記基端部の上面部には、原稿トレイ２０１上に載置された原稿の幅に合わせて（原稿の端部を揃えて好適に自動搬入させるべく）符号Ｄで示す矢印方向にスライド移動（幅調整）可能に構成された１対のガイド部材２０１５が設けられている。
【００４０】
蓋部材２０７と原稿トレイ２０１とは、これらの両側面側、すなわち原稿搬送方向に垂直な方向の左右両端部において一対の連結部材２０８（連結アーム）により連結されている。連結部材２０８は、例えば直線状の板状体（棒状体でもよい）からなり、回転軸部２０８１において原稿トレイ２０１（原稿トレイ２０１の基端側壁部２０１１）に対して回転自在に連結されており、また回転軸部２０８２において蓋部材２０７（蓋本体２０７１の両側面部）に対して回転自在に連結されている。連結部材２０８と蓋部材２０７との連結位置は、蓋部材２０７の原稿搬送方向における略中央部となっているが、この位置に限らず、基端側或いは先端側としてもよい。連結部材２０８と原稿トレイ２０１との連結位置も同図に示す基端側壁部２０１１の略中央部位置に限らず、基端側或いは先端側であってもよい。
【００４１】
このように、原稿トレイ２０１と蓋部材２０７とがそれぞれ回動軸部２０１３、２０７３を支点として回動可能に構成され、かつ、互いが連結部材２０８で回転自在に連結されているため、原稿トレイ２０１を矢印Ｃ方向に回動させるのに伴って蓋部材２０７も矢印Ｂ方向に回動するため、原稿トレイ２０１の開閉動作に連動させて蓋部材２０７を収納スペースＳ（凹部）に対して開閉させることが可能となる。換言すれば、蓋部材２０７は、原稿トレイ２０１と同期しての開閉動作（同期開閉）が可能となっている。
【００４２】
ところで、原稿給送部２００は、蓋部材２０７を開いた状態でその位置に静止させる、つまりその位置で回動を規制する（位置固定する）ことが可能に構成された所定のロック機構を備えている。このロック機構は、ここでは、蓋部材２０７と原稿給送部２００の本体側壁部２２１とにおいて構成される。以下、このロック機構について説明する。
【００４３】
図６は、この蓋部材２０７及び本体側壁部２２１において構成されるロック機構の一例を示す図であり、該ロック機構部を概略的に示す断面図である。まず、ロック機構の蓋部材２０７側の機構として、蓋部材２０７の例えば符号２３１（図４も参照）に示す位置（後述するように蓋部材２０７の回動に応じて突起体２４１が本体側壁部２２１と摺接することができ且つ静止位置で回動が規制できる位置）に掛止部２４０が設けられ、一方、本体側壁部２２１における前記掛止部２４０に対向する位置で且つ回動を静止（ロック）させる位置に被掛止部２５０が設けられている。
【００４４】
掛止部２４０は、蓋部材２０７から本体側壁部２２１へ向けて突出された例えば略円柱状の（一端側（底部）にはフランジ状体２４１１が一体的に設けられている）突起体２４１と、バネ体等からなり突起体２４１を本体側壁部２２１側へ向けて付勢する付勢部材２４２と、筐体（又はフレーム体）等からなり突起体２４１及び付勢部材２４２を支持可能に構成された支持体２４３とを備えて構成される。突起体２４１は、図６に示すように、付勢部材２４２を介して支持体２４３内に嵌入され、符号Ｅで示す矢印方向（蓋部材２０７の幅方向）に突没自在となるよう構成されている。なお、支持体２４３は、蓋部材２０７の例えば下面側（原稿載置面と反対側の面）に配設されている。また、符号Ｆで示す矢印方向は原稿搬送方向である。
【００４５】
被掛止部２５０は、同図に示すように、本体側壁部２２１における蓋部材２０７と対向する内壁面２２１１に形成され、前記突起体２４１の先端部２４１２（突出部）が嵌入可能な例えば所謂丸穴状の凹部（以降、被掛止凹部２５１という）を備えている。
【００４６】
掛止部２４０の突起体２４１は、原稿トレイ２０１の矢印Ｃ方向の回動と連動した蓋部材２０７の矢印Ｂ方向の回動に伴い、内壁面２２１１に対して円弧状に摺接して回動し、これが静止位置である被掛止部２５０（被掛止凹部２５１）の位置にくると、それまで本体側壁部２２１（内壁面２２１１）により押下され支持体２４３内に没入していた突起体２４１の先端部２４１２が、付勢部材２４２の付勢力によって被掛止凹部２５１内に押し込まれ（掛止され）、これにより当該回動が規制されたロック状態となる。ただし、このロック状態は、ユーザ等により蓋部材２０７を回動させようとする所定以上の外部からの力（回動力）が加えられることによって、前記被掛止凹部２５１内に押し込まれていた突起体２４１の先端部２４１２が外れることで解除される。なお、突起体２４１の先端部２４１２は、当該ロック又は解除動作がスムーズに行われるよう半球状に形成されていてもよい。
【００４７】
以上のように、本発明の画像形成装置（複写機１）によれば、ＡＤＦ（原稿給送部２００）の原稿排出トレイ２０６の下方に収納部が備えられるため、当該収納部につまりＡＤＦにマニュアル等の冊子やサービスパーツ或いは予備の原稿等の収納物を収納しておくことが可能となる（当該収納しておくことにより、マニュアル等の書類を経時変化による劣化や破損、紛失を未然に防ぐことができる。またサービスパーツの個装費、管理費等の削減が可能となる。また、エンドユーザによるメンテナンスが該収納されているサービスパーツを用いて可能となる）。
【００４８】
そして、ＡＤＦの原稿排出トレイ２０６下方の空きスペースが（収納スペースＳ）として利用されるため、別途専用の収納部を設けてＡＤＦ（強いては複写機１）を大型化することなく且つ装置の外観を損なうことなく当該収納が可能となる。また、ＡＤＦに収納部が設けられることで、複写機１の側方部や底部等に収納部を設けて屈み込むようにして収納物を収納したり取り出したりすることなく、複写機１における上部位置に配置されるＡＤＦにおいて容易な収納、取り出し動作が可能となる。さらに、原稿排出トレイ２０６の下方に収納部が設けられることで、例えば収納部の上方部を透明部材で構成することにより、外部から収納部内が視認可能となり且つＡＤＦ位置でその視認性も高いものとなる。このように、収納に関してＡＤＦを有効活用することができる。
【００４９】
また、上記収納部が凹部と該凹部に対する蓋部材２０７とから構成されるので、収納部をより簡易な構成とすることができるとともに、凹部に対する収納物の収納や取り出しが、蓋部材２０７を開閉することによって容易に行えるようになる。さらに、この蓋部材２０７は原稿排出トレイ２０６を兼ねるものであるため、蓋部材２０７と原稿排出トレイ２０６とをそれぞれ別に備える必要がなく、部品点数の低減を図ることができる。
【００５０】
また、ＡＤＦにおいて通常、原稿排出トレイ２０６の上方に配置されている原稿トレイ２０１の開閉動作と連動して蓋部材２０７を開閉させることができるため、蓋部材２０７の開閉動作を容易に行えるようになる。
【００５１】
また、ロック機構を備えることにより、蓋部材２０７を開いた状態で静止させることができ、例えば一方の手で蓋部材２０７を持って開いた状態を維持しつつ、もう片方の手で収納したり取り出したりといった煩わしい動作をすることなく、例えば両手を使って収納や取り出しが容易に行えるようになる。
【００５２】
また、蓋部材２０７が透明部材で構成されて収納部内が外部から視認可能となり、この収納部内（収納スペースＳ内）に置かれたマニュアル等の収納物が容易に視認されるようになる（何処にマニュアル等が置いてあるのか探さなくても済むようになる）。
【００５３】
また、原稿トレイ２０１が透明部材で構成されて（且つ上記蓋部材２０７が透明部材で構成されるのに併せて）収納部内が外部から容易に視認可能となり、つまり原稿トレイ２０１の下部側を覗き込むようにして収納部内を確認するといったことなく例えばそのままの立ち姿勢又は目線で（上方から見て）より容易に収納部内が視認できるようになる。なお、本発明は以下の態様をとることができる。
【００５４】
（Ａ）図８に示すように、原稿給送部２００の収納部を、原稿排出トレイ２０６の下方に例えば水平方向に着脱自在に設けられた引き出し部２７０からなるものとしてもよい。引き出し部２７０は、所謂収納箱であり例えばその一端には取手部２７１が取り付けられている。この引き出し部２７０の上方部は、該引き出し部２７０内を外部から視認可能とするべく上記と同様の透明部材（透明な樹脂）で構成され、また、原稿トレイ２０１も、引き出し部２７０内を外部から視認可能とするべく透明部材で構成されていてもよい。また、このように外部から収納部における収納物が視認できることが好ましいが、それに限定されず、外部から視認できなくともよい（単に収納するだけのものでもよい）。この場合、蓋部材２０７や原稿トレイ２０１が透明部材で構成されず（通常の材質で構成され外部から視認できない）、収納部が単に引き出し部２７０だけで構成されていてもよい。なお、蓋部材２０７がある収納部に対してこの引き出し部２７０を備える、すなわち、上記図５における収納スペースＳに図８に示す着脱自在な引き出し部２７０を備えるような構成としてもよい。
【００５５】
このように、原稿給送部２００における原稿排出トレイ２０６の下方に着脱自在に設けられた引き出し部２７０によって収納部を構成することにより、原稿排出トレイ２０６の下方のスペースを有効活用して収納部を設けることができるとともに、収納部を引き出し部２７０といった簡易な構成で実現することができ、収納物の出し入れが容易に行えるようになる。また、原稿給送部２００における引き出し部２７０の上方部が透明部材で構成されるため、引き出し部２７０内が外部から視認可能となり、この収納部内に置かれたマニュアル等の収納物が容易に視認できるようになる。さらに、原稿トレイ２０１が透明部材で構成されて（且つ上記自動原稿搬送装置における引き出し部２７０の上方部が透明部材で構成されるのに併せて）引き出し部２７０内が外部から容易に視認可能となり、つまり原稿トレイ２０１の下部側を覗き込むようにして引き出し部２７０内を確認するといったことなく、例えばコピー作業しながら、そのままの立ち姿勢又は目線で（上方から見て）より容易に引き出し部２７０内が視認できるようになる。
【００５６】
（Ｂ）収納部（収納スペースＳ）に、例えば複写機１の簡易使用方法や取り扱い上の注意等のメッセージが記載（印刷）されたラベルを貼り付けたり、当該メッセージが記載された紙片を載置しておき、コピー作業などをしながらこのメッセージを見るといったように、原稿給送部２００における収納部を所謂メッセージボートとして使用してもよい。
【００５７】
（Ｃ）収納スペースＳの形状は直方体（上面視長方形）でなくともよく、例えば楕円、円形、正方形いずれの形状であってもよい。要は所要の収納物が好適に収納される形状に凹設されていればよい。
【００５８】
（Ｄ）蓋部材２０７と原稿トレイ２０１との連結構造は、図４に示すものに限定されず、例えば連結部材２０８が複数個（例えば２個）の直列繋ぎされた連結部材から構成され、該連結部材２０８が中折れするような連結構造とされていてもよい。要は、原稿トレイ２０１が回動して持ち上げられるのに応じて蓋部材２０７が回動して持ち上がるような連結構造であればよい。
【００５９】
（Ｅ）原稿排出トレイ２０６は  矢印Ａ方向に示すような傾斜した排出原稿積載面を有する形状でなくともよく、該排出原稿積載面が水平となる構成でもよい。この場合、図５に示す凹部（収納スペースＳ）は三方（四方）の側壁部２０６１の高さが同じとなる直方体形状となる。
【００６０】
（Ｆ）蓋部材２０７は、図４に示すように側方視直線状（平板状）でなくともよく、円弧状になっている或いは折れ曲がった形状であってもよいし、またリブ体２０７２を備えてなくともよい。要は、蓋部材２０７は、凹部（収納スペースＳ）に対して蓋をすることができ且つ排出原稿が載置可能である形状であればいずれの形状でもよい。
【００６１】
（Ｇ）蓋部材２０７は、完全な透明でなくともよく、要は収納スペースＳ内部（収納物）が視認されればよく、例えば所定の色が付いた透明部材（例えばカラーのプラスチック材）で構成されてもよい。また、蓋部材２０７の全部が透明部材でなくともよく、所要の部分のみ透明部材で構成されてなるものでもよい。
【００６２】
（Ｈ）蓋部材２０７或いは原稿トレイ２０１は、収納部内が視認可能となるよう例えば櫛状体（例えばフォークのようにスリット（切欠部）が形成されてなる形状、或いは網状体であってもよい。これにより、原稿が載置されるとともに（下に落ちることなく）収納部内が視認できるようになる。
【００６３】
（Ｉ）ロック機構の取り付け位置は、図４の符号２３１に示す位置でなくともよく、例えば蓋部材２０７のさらに基端側（支点に近い位置）でもよいし先端側でもよい。また、ロック機構が蓋部材２０７ではなく、連結部材２０８、或いは原稿トレイ２０１に設けられてもよい。要は、蓋部材２０７が開状態で回動が規制されるようなロック機構であればよい。また、ロック機構も図６に示すものに限定されず、例えば、付勢部材を有していない突起体のみの構成であってもよい。この場合、本体側壁部２２１を（本体側壁部２２１における当該突起体２４１が当接（摺接）する部分を）、例えば所要の弾性（可撓性）を有する板状体で構成してもよい。また、突起体２４１の代わりに球状体（ボール体）を用いてもよい。また、摺接する回動半径に沿って、突起体２４１が嵌合される（突起体２４１の本体側壁部２２１に対する摺動がガイドされる）レール状のものが形成されていてもよい。
【００６４】
（Ｊ）蓋部材２０７が閉じている状態での位置にも同様の被掛止部２５０（被掛止凹部２５１）が設けられていてもよく、これにより容易に原稿トレイ２０１や蓋部材２０７が持ち上がってしまわないよう当該閉状態をロックすることができる。
【符号の説明】
【００６５】
１  複写機（画像形成装置）
２００  原稿給送部（自動原稿搬送装置）
２０１  原稿トレイ
２０６  原稿排出トレイ
２０７  蓋部材
２０８  連結部材
２２１  本体側壁部
２４０  掛止部
２４１  突起体
２４２  付勢部材
２４３  支持体
２５０  被掛止部
２５１  被掛止凹部
２７０  引き出し部
２０１０  透明体
２０１１  基端側壁部
２０６１  側壁部
Ｓ  収納スペース
【図１】
2010283846.tif 000003
【図２】
2010283846.tif 000004
【図３】
2010283846.tif 000005
【図４】
2010283846.tif 000006
【図５】
2010283846.tif 000007
【図６】
2010283846.tif 000008
【図７】
2010283846.tif 000009
【図８】
2010283846.tif 000010